(57)【要約】  消費財の包装された容器であって、開封テープを備えた包装紙により囲まれた消費財を収納するための容器と、容器と包装紙との間に位置付けられたラベルとを含み、ラベル及び開封テープが、包装紙を開くための開封テープの作動によりラベルが切断されるようになるように配置され、開封テープの少なくとも一部が容器の長手方向軸及び容器の横断軸と角度をなす、消費財の包装された容器。
2020524118.tif 000002
【特許請求の範囲】
【請求項１】
消費財の包装された容器であって、
開封テープ（１）を備えた包装紙（６）により囲まれた消費財を収納するための容器（１１）と、
前記容器（１１）の側壁又は後壁に前記容器と前記包装紙（６）との間に位置付けられたラベル（１０）であって、前記ラベル（１０）及び前記開封テープ（１）が、前記包装紙（６）を開くための前記開封テープ（１）の作動により前記ラベル（１０）が切断されるようになるように配置されるラベル（１０）と
を含み、
前記開封テープ（１）の少なくとも一部が前記容器（１１）の長手方向軸及び前記容器（１１）の横断軸と角度をなす、包装された容器。
【請求項２】
前記ラベル（１０）が前記開封テープ（１）の末端間に位置する、請求項１に記載の包装された容器。
【請求項３】
前記ラベル（１０）が実質的に長方形であるとともに、前記長方形ラベル（１０）の最も短い側が前記容器（１１）の前記長手方向軸と実質的に平行であるように位置付けられる、請求項１又は２に記載の包装された容器。
【請求項４】
前記ラベル（１０）が前記容器（１１）の全高の５０％未満の高さに位置付けられ、前記高さが前記容器（１１）の底縁から前記容器（１１）の前記長手方向軸に沿って計測される、請求項１〜３のいずれか一項に記載の包装された容器。
【請求項５】
前記ラベル（１０）が脆弱部（１６）であって、前記包装紙（６）を開くための前記開封テープ（１）の作動により、少なくとも前記脆弱部（１６）で、前記ラベル（１０）が切断されるようになるように配置された脆弱部（１６）を含む、請求項１〜４のいずれか一項に記載の包装された容器。
【請求項６】
前記開封テープ（１）が、第１及び第２バンド（２、５）であって、交差部（８）で互いに交差して２つの交差する枝部（３、４）を形成する第１及び第２バンド（２、５）を含む、請求項１〜５のいずれか一項に記載の包装された容器。
【請求項７】
前記第１及び第２バンド（２、５）が、前記製品包装紙（６）の開封が、第１枝部（３）の第１端から第１枝部（３）に沿った第１開封ステージに続き、その後、前記交差部（８）から前記第１枝部（３）の第２端及び前記第２枝部（４）の端の少なくとも一方までの前記２つの交差する枝部（３、４）に沿った第２ステージが続くように配置される、請求項６に記載の包装された容器。
【請求項８】
前記容器（１１）の前記長手方向軸及び前記容器（１１）の横断軸と角度をなす、前記開封テープ（１）の少なくとも一部が、前記バンド（２、５）の一方である、請求項６又は７に記載の包装された容器。
【請求項９】
１つのバンド（２、５）が前記容器（１１）の前記長手方向軸に実質的に垂直である、請求項６〜８のいずれか一項に記載の包装された容器。
【請求項１０】
前記ラベル（１０）が、両バンド（２、５）の前記交差部（８）と前記バンド（２、５）の一方の末端との間に位置する、請求項６〜９のいずれか一項に記載の包装された容器。
【請求項１１】
前記容器（１１）が複数の壁を含み、前記２つのバンド（２、５）の間の前記交差部（８）と前記ラベル（１０）とが前記容器（１１）の同じ壁に提供される、請求項６〜１０のいずれか一項に記載の包装された容器。
【請求項１２】
前記容器（１１）が、箱であって、蝶番線に沿って前記箱に蝶番で取り付けられた蓋により閉鎖された開いた上端を備えた箱を含み、前記開封テープ（１）の端が箱の前壁を箱の側壁に接続する長手方向縁の近くに提供される、請求項１〜１１のいずれか一項に記載の包装された容器。
【請求項１３】
請求項１〜１２のいずれか一項に記載の消費財の包装された容器を製造する方法であって、前記方法が、
消費財の容器（１１）を提供するステップと、
包装材料のシートを提供するステップと、
前記包装材料のシート及び前記容器（１１）の一方へラベル（１０）を付けるステップと、
開封テープ（１）を前記包装材料のシートへ付けるステップと、
包装紙（６）を開くための前記開封テープ（１）の作動により前記ラベル（１０）が切断されるようになるように、前記開封テープ（１）の少なくとも一部が前記容器（１１）の長手方向軸及び前記容器（１１）の横断軸と角度をなすように、及び前記ラベル（１０）が前記容器（１１）及び前記包装材料の前記開封テープ（１）の両方へ接着されるように、前記開封テープ（１）を含む前記包装材料を前記容器（１１）へ付けるステップと、
前記容器（１１）を前記包装材料で密封するステップと
を含む方法。
【請求項１４】
前記開封テープ（１）が、前記開封テープ（１）及び前記ラベル（１０）の一方又は両方への熱活性化性接着剤の塗布により、前記ラベル（１０）に貼り付けられる、請求項１３に記載の方法。
【請求項１５】
前記ラベル（１０）において脆弱部（１６）を提供するステップをさらに含む、請求項１３又は１４に記載の方法。
【発明の詳細な説明】
【技術分野】
【０００１】
本発明は、消費財のための包装された容器に関する。
【背景技術】
【０００２】
衛生状態、新鮮さ及び安全の理由から、多くの消費者向け製品は、密封包装紙と重なり合うパッケージに入った状態で提供される。このような包装紙はセロファン、金属箔又は同様の材料により提供され得る。このような包装紙に入れられて提供される多くの製品がラベル、例えばそれら製品と関連するスタンプ又はシールを有することを必要とし、そのラベルは、製品が開封されたことを示すように、製品にユーザがアクセスする際に破られる。ラベルは、健康及び安全性の理由から、又は、煙草又はアルコールなどの製品に必要とされる課税及び関税の義務などの要件を満たすために、このような表示を提供し得る。
【０００３】
過去には、ユーザにより製品包装紙がパッケージから除去されるときに、製品包装紙の除去によりラベルが除去されるか、又は破壊されるように、製品パッケージを包装するための包装紙の必要性とラベルとを組み合わせる試みがなされてきた。このような配置構成の利点は、ユーザは、ユーザにとって操作し易い１つの行動で外側包装紙を除去するとともにラベルを破壊し、また、指示の精度のためにラベルの破壊を確実にするという点である。しかしながら、そのような配置構成には、外側製品包装紙からの開封機構及びラベルが、この１つの行動で開封と引裂きの両方を確実にするために、互いに対して極めて特定的な位置にあることを求めるという問題がある。これは、内部パッケージにおける任意の開口及び製品包装紙のための開封機構の相対的位置を限定し得るため、包装紙が重ね合された製品パッケージのための設計上の自由を著しく束縛し得るとともに、安全性又は健康情報などパッケージ上に求められ得る他の情報の位置も束縛し得る。
【発明の概要】
【発明が解決しようとする課題】
【０００４】
したがって、本発明は、製品包装紙であって、上記タイプのラベルの提供を可能にし、この製品包装紙の除去中にこのラベルの引裂きを可能にするにもかかわらず、包装紙の下に提供されたパッケージの任意の開封機構の位置と比較したときの、外側製品包装紙機構位置の除去のフレキシビリティも可能にする製品包装紙を提供しようとするものである。
【課題を解決するための手段】
【０００５】
本発明によると、消費財の包装された容器であって、
開封テープを備えた包装紙により囲まれた消費財を収納するための容器と、
容器と包装紙との間に位置付けられたラベルと
を含み、
ラベル及び開封テープが、包装紙を開くための開封テープの作動によりラベルが切断されるようになるように配置され、
開封テープの少なくとも一部が容器の長手方向軸及び容器の横断軸と角度をなす、
消費財の包装された容器が提供される。
【０００６】
角度は概して非ゼロの角度である。
【０００７】
本発明により、製品包装紙であって、関連するラベル及び開封テープを有するとともに、包装紙におけるラベルの位置に関して設計上の自由が大きいにもかかわらず、使用の際に包装紙により覆われているパッケージにアクセスするために包装紙が容易に除去されることが依然として可能な製品包装紙を提供することが可能となる。さらに、本発明の配置構成には、包装紙が除去されるときのラベルの破壊に関する確実性がある構成がある。
【０００８】
好ましくは、ユーザが包装紙の開封を始めるために開封テープを作動させるために、開封テープはプルタブなどの作動手段を含む。好ましくは、作動手段は包装紙上に、開封テープの端に近接して提供される。
【０００９】
開封テープと容器の長手方向軸又は横断軸のいずれかとの間の角度は、１°〜８０°であってもよく、好ましくは角度は５°〜７５°、及びより好ましくは３５°〜５５°であることが想定される。
【００１０】
いくつかの例において、開封テープは、製品包装紙の表面に提供された少なくとも２つのバンドを含んでもよく、この２つのバンドは互いを横断して少なくとも２つの交差する枝部を形成し、第１バンドの一端は製品包装紙において提供されたタブ内に位置し、枝部間の交差部は第１バンドの末端間に位置し、ラベルは第１又は第２バンドのいずれかの少なくとも一部の上に載る。少なくとも２つの交差する枝部を含む製品包装紙のための開封テープが、欧州特許第２８６１５０７号明細書において説明されている。
【００１１】
互いに交差する２つのバンドを提供することで、ユーザが簡単に作動することができるとともに包装紙の容易な除去とラベルの単純な破壊の両方を確実にする包装紙のための開封機構を提供することが可能となる。このような配置構成は、容器でのラベルの位置付けに関してさらなる設計上の自由も提供する。
【００１２】
好ましくは、第１及び第２バンドは、使用の際、１つのみのバンドが容器の角又は折り畳まれた縁にわたって延在するように配置され、製品包装紙の開封が、第１枝部の第１端から第１枝部に沿った第１開封ステージに続き、その後、前記交差部から第１枝部の第２端及び第２枝部の端の少なくとも一方までの２つの交差する枝部に沿った第２ステージが続く。好ましくは、ラベルは第２開封ステージ中に切断されるようになる。
【００１３】
この構成により、多量のテープを必要としないがラベルの破壊と包装紙の除去の容易さを依然として確実にする極めて単純な開封機構が提供される。
【００１４】
いくつかの例において、少なくとも２つの交差する枝部は少なくとも２つの別個の接着バンドでできている。
【００１５】
好ましくは、少なくとも２つの交差する枝部の間の角度αは１°〜８０°、好ましくは５°〜７５°、より好ましくは３５°〜５５°である。
【００１６】
好ましくは、少なくとも２つの枝部は交差して、２つの交差する枝部の第１のものの前記末端間に位置するＹ形接合部を提供する。
【００１７】
好ましくは、２つの枝部の少なくとも一方は線形であるか、又は開封テープの端から始まる少なくとも１つの線形セグメントを含む。
【００１８】
いくつかの例において、２つの枝部の一方は容器の長手方向軸又は横断軸のいずれかに実質的に平行であり得る。好ましくは、第１枝部は容器の横断軸に実質的に平行であり、第２枝部は第１枝部と鋭角をなす。
【００１９】
好ましくは、ラベルは開封テープの２つの末端の間に位置する。開封テープが２つの交差するバンドを含む例において、ラベルは好ましくはバンドの一方の２つの末端の間に位置する。そのような例において、ラベルが、両バンドの交差部とバンドの一方の末端との間に位置するとさらに好ましい。
【００２０】
好ましくは、容器は喫煙具のためのパック、例えばシガレットパックである。例えば、容器は、箱であって、開いた上端を備え、蝶番で取り付けられた蓋により閉鎖された箱を含む、喫煙具のためのいわゆる蝶番式蓋パックであってもよい。蓋は、箱の開いた上端を覆うとともに覆いをとるために蝶番線を中心として回転可能であり、したがって容器の中身へのアクセスを拒否又は許可する。容器は、蓋が箱の開いた上端を覆っているときに閉位置にあると言われる。同様に、容器は、蓋が箱の開いた上端を覆っていないとき開位置にあると言われる。
【００２１】
容器が喫煙具のための蝶番式蓋パックである場合、箱は好ましくは前壁、後壁、側壁及び底壁を含むが、上壁は含まず、蓋は好ましくは前壁、側壁、上壁を含むが、底壁は含まない。好ましくは、箱の前壁は、容器の長手方向軸の方向において箱の後壁より短く、箱の側壁は傾斜した上縁を有する。蓋は後壁をさらに含んでもよく、この場合、蓋の後壁は、容器の長手方向軸の方向において蓋の前壁より短く、蓋の側壁は、傾斜した底縁を有する。好ましくは、蓋は、蓋の後壁の底縁又は蓋の上壁の後縁のいずれかで、箱の後壁の上縁に蝶番式に接続される。
【００２２】
容器が喫煙具のための蝶番式蓋パックである例において、開封テープの端が、箱の前壁を箱の側壁のうちの１つに接続する長手方向縁の近くに又はこの長手方向縁に近接して提供されるのが好ましい。これは、包装紙の開封を始めるための開封テープの端の把持を容易にする。開封テープの端が箱の前壁の上部前縁の近くに又は箱の前壁の上部前縁に近接して位置付けられることも好ましい。
【００２３】
容器が喫煙具のための蝶番式蓋パックであり、開封テープが２つの交差するバンドを含む例において、第１バンドの第１端は好ましくは、箱の前壁を箱の側壁のうちの１つに接続する長手方向縁の近くに又はこの長手方向縁に近接して位置する。好ましくは、両バンド間の交差部は、容器の主面又は壁、すなわち容器の前又は後壁に位置する。これは、包装紙の開封中にラベルが切断されることを確実にすると同時に、両バンド間の角度を選択する追加的な選択肢を与える。
【００２４】
そのような例において、第１バンドは好ましくは容器の長手方向軸に実質的に垂直であるとともに、箱の前壁の上部前縁の近くに又は箱の前壁の上部前縁に近接して位置付けられる。特に、第１バンドは箱の前壁の上部前縁より３ｍｍ上〜箱の前壁の上部前縁より１５ｍｍ下の任意の場所に位置付けられ得る。これは、包装紙の、蓋を包む部分の除去を容易にする。
【００２５】
好ましくは、ラベルは、容器の底縁からその長手方向軸に沿って計測される、容器の全高の５０％未満の高さに位置付けられる。容器の全高は、容器の長手方向軸に沿って計測される容器の底部及び上縁の間の距離である。このような配置構成は、蓋が開く動きとの干渉を回避するため、喫煙具のための蝶番式蓋パックにとって特に有利である。
【００２６】
好ましくは、ラベル及び第１及び第２バンドの間の交差部は容器の同じ壁に位置付けられる。ラベル及びバンド間の交差部を容器の同じ壁に位置付けることにより、開封テープが２つのバンドに分割されたときの縁に沿った裂けが防がれるため、包装紙の切断が容易になる。
【００２７】
ラベルは好ましくは長方形である。長方形ラベルは、長方形ラベルの最も短い側が容器の長手方向軸に平行となるように好ましくは位置付けられる。長方形ラベルをそのような態様で配置することにより、開封テープの作動はラベルの材料をそれほど切断する必要が無く、結果として設計上の自由の度合いがより大きくなる。
【００２８】
本明細書で使用する場合、２つの要素の相対的位置を表すために使用される場合の「近く」という用語は、約１０ｍｍ未満を意味すると解釈されるべきである。
【００２９】
本明細書で使用する場合、「前」、「後」、「上部」、「下部」、「上」、「底」及び「側部」という用語は、容器が直立した位置にあるときの本発明による容器及びそのコンポーネントの部分の相対的位置を指す。容器が喫煙具のための蝶番式蓋パックである場合、「前」、「後」、「上部」、「下部」、「上」、「底」及び「側部」という用語は、外側ハウジングの蓋が閉位置にあり蝶番線がパックの後方にある状態でパックが直立した位置にあるときの、喫煙具のための蝶番式蓋パックの部分の相対的位置を指す。
【００３０】
本発明によると、上述のとおりの消費財の包装された容器を製造する方法であって、
消費財の容器を提供するステップと、
包装材料のシートを提供するステップと、
包装材料のシート及び容器の一方へラベルを付けるステップと、
開封テープを包装材料のシートへ付けるステップと、
開封テープの少なくとも一部が容器の長手方向軸及び容器の横断軸と角度をなすように、及び包装紙を開くための開封テープの作動によりラベルが切断されるようになるように、開封テープを含む包装材料を容器へ付けるステップと、
容器を包装材料で密封するステップと
を含む方法も提供される。
【００３１】
したがって、使用の際、開封テープはラベルを通るように引かれ、それにより開封テープと包装材料との間に挟まれたラベルを切断することが想定される。
【００３２】
好ましくは、方法は、開封テープの一部がラベル及び／又は包装材料へ接着されるように、開封テープ又はラベルへ接着剤の層を付けるステップをさらに含む。
【００３３】
いくつかの例において、方法は、ラベルが包装紙に接着されるように、包装材料のシートの一部又はラベルの一部へ接着剤の層を付けるステップをさらに含む。
【００３４】
好ましくは、製造の方法は、ラベル又はその一部が容器へ接着されるように、ラベル若しくはその一部又は容器へ接着剤の層を付けるステップをさらに含む。これは、ラベルの別の部分が包装紙に接着されることに加えてであってもよい。使用の際、包装紙の開封がラベルを切断することが想定され、したがって、ラベルの一部のみが容器に接着され得ることが意図されている。容器に接着されていない部分は、有利には製品包装紙と共に除去され、したがって、ラベルは包装紙の開封時に引裂かれるか、又は他の方法で破壊される。分離を容易にするために、ラベルはミシン目入り又は穿孔された領域など脆弱化領域を含んでもよい。
【００３５】
特定の例において、方法は、開封テープの一部がラベル及び／又は包装材料に接着されるように、開封テープ又はラベルに接着剤の層を付けるステップをさらに含む。好ましくは、開封テープは、ラベルの、容器に接着されていない部分に接着される。
【００３６】
使用の際、開封テープの作動時にラベルの切断が保証されるように、接着剤がラベル及び／又は開封テープが適所に留まることを確実にすることが想定される。
【００３７】
本発明によると、上述のとおりの方法を実施するための装置も提供される。
【００３８】
本発明の例がここで添付図面を参照して説明される。
【図面の簡単な説明】
【００３９】
【図１】開封テープ及びラベルを示す閉位置にある本発明による製品包装紙に包装された容器の概略斜視図である。
【図２】開封テープを引くことにより開かれている本発明による製品包装紙に包装された容器の概略斜視図である。
【図３Ａ−３Ｂ】本発明の異なる例による開封テープ及びラベルを含む、本発明による製品包装紙の平面図である。
【図４Ａ−４Ｂ】本発明による容器の２つの断面図を示す。
【図５】本発明による製品包装紙を作成し、続いて容器に製品包装紙を付けるための方法を実施するための例示的な装置を示す。
【図６Ａ−６Ｃ】本発明による可能な製造方法のステップを示す。
【図７Ａ−７Ｂ】本発明のさらなる例の前方及び後方斜視図である。
【発明を実施するための形態】
【００４０】
図３Ａを参照すると、開封テープ１が製品包装紙６に提供されている。開封テープ１は、使用の際、製品包装紙６の表面７に接着される接着バンド２を含む。接着バンド２は、開封テープ１において交差部８で接触する第１及び第２枝部３、４を含むように構成される。バンド２は、包装紙６の表面７へ付ける前に別個の枝部３、４を備えた単一の接着コンポーネントとして形成され得る。これはまた、個別の枝部３、４を形成する２つ以上の個別の接着バンド２、５から形成されてもよい。ラベル１０は、本例においては製品包装紙に接着された枝部４の底部において示されているが、任意のポイントに配置されてもよく、使用の際ラベル１０が開封テープ１の動きにより切断されるように、開封テープ１の一部の下又は上のいずれかにある。ラベル１０は同様に、又は代替的に、容器に接着され得る。本例において、２つの枝部３、４間の角度αはおよそ４５°であるが、これは１°〜８０°、又は好ましくは５°〜７５°、さらにはより好ましくは３５°〜５５°のどこかであり得る。好ましくは、接着バンド２の各枝部３、４間の角度αは、エンドユーザによる単一の開封行動における包装紙６の効率的で完全な裂け及びラベル１０の切断を確実にするために、包装紙６に包装されることになる製品の形状及び／又はサイズに依存して予め決められた範囲において選択及び調整され得る。
【００４１】
図３Ｂは、単一の開封テープ１が製品包装紙６に提供された代替的例を示す。開封テープ１は、製品容器の長手方向又は横断軸に対しておよそ４５°の角度の、単一のバンドから形成される。ラベル１０は、本例においては、製品包装紙（及び／又は容器）に接着された開封テープ１に沿った中間点に示されているが、使用の際、ラベル１０が開封テープ１の動きにより切断されるように、開封テープ１の一部の上に載る任意の点に配置され得る。
【００４２】
図４Ａを参照すると、二重バンド開封テープ１及びラベル１０と併せて包装紙６も示された状態で、第１例容器１１が部分断面図において示されている。この図から分かり得るとおり、この特定の構造においてラベル１０は、包装紙６ではなく容器１１の表面に接着されている。しかしながら、開封動作中に開封テープ１が除去されるとラベル１０が切断されるように、ラベル１０は糊コンポーネント１２を介してバンド５に接着される。
【００４３】
図４Ｂは、同様に包装紙６、ラベル１０及び二重バンド開封テープ１を備えた、本発明による容器１１の代替的例を断面図で示す。ここで、ラベル１０は包装紙６に接着され、このときバンド５は包装紙６の上に載り、包装紙は容器１１の周りに配置されている。
【００４４】
図４Ａにおいて説明された例と同様に、ラベル１０は、開封テープ１がラベル１０に接続されるように、バンド５に接着され得る。これは、例えば、接着剤、特に熱活性化性接着剤の、開封テープ１及びラベル１０の一方又は両方への塗布により達成され得る。代替的に、開封テープ１はラベル１０へと溶融され得る。
【００４５】
開封テープ１の除去が包装紙６を除去し、バンド５を引き、ラベル１０を除去及び切断する。いくつかの例において、ラベル１０は容器及び包装紙６の両方に接着される。例えば、ラベル１０は、バンド５が除去されるときにバンド５がラベルを通過するときに切れることを確実にするために、容器１１の表面に部分的に接着され得る。
【００４６】
ラベル１０は、開封テープ１の切断の動きを容易にするために脆弱部を含み得る。好ましくは、脆弱部はラベル１０に穿孔するか、又は刻み目を付けることにより形成される。
【００４７】
図５は、本発明によるとともに図１及び４Ｂに示された製品包装紙及び容器を作るための方法を実施するための例示的な装置を示す。装置は、開封テープ１の枝部３、４を形成する２つの別個の接着バンド２、５を提供する。
【００４８】
図５を参照すると、ボビン３３が、複数のラベル１０を含むフィルム６のシートを提供し、フィルム６はいくつかのローラを通過して、最終的に、フィルム切断回転ナイフ３５により切断されるとともに、コンベア３７で重ね合された容器１１及び６を形成するために容器１１の上に包装輪を使用して包装される。フィルム６がローラを通過する際、開封テープのスプール３１が転動切断ナイフコンポーネント３２を介してフィルム６の表面に提供される。スプール３１及びナイフコンポーネント３２は、個々の切断開封テープコンポーネント５が、端包装製品を参照して上述の範囲における望ましい角度で選択されたフィルム６の移動の方向に対するある角度で付けられるように、フィルム６の移動の方向に対してある角度で傾斜している。スプール３１及びナイフコンポーネント３２はまた、各開封テープコンポーネント５がラベル１０の上に載るように配置されるとともに適切に制御される。個々のバンド５は、当業者により認められる従来の接着剤又は他の形により、フィルム６及びラベル１０の表面に接着され得る。
【００４９】
バンド５、ラベル１０及びフィルム６の組合せは次いで、バンド５及びラベル１０が位置Ａでフィルム６に付けられるところから、バンド２のボビン３４が同様に、バンド２がそれぞれのバンド５との交差部を形成する位置でフィルム６に付けられる位置Ｂへ前方に通過する。この場合も、バンド２は接着剤又は他の既知の技術を使用して表面７に付けられ得る。フィルム６の表面へバンド１を付けることに続いて、フィルム６は切断ナイフ３５を通過し、フィルムの個々のセクションは、本発明による開封テープ１及びラベル１０配置構成を形成する接着バンド２、５と共に、個々の容器１１の上に包装輪３６を使用して包装される。ラベル１０は、ラベル１０が容器１１及び包装紙６に部分的に又は完全に接着されるように、包装前に接着剤で完全に又は部分的にコーティングされ得る。
【００５０】
傾斜したバンド５が、接着剤バンド材料のスプール３１からの切断ストリップにより提供される。切断ストリップは、フィルム６でのラベル１０の位置により一定の間隔で位置付けられるとともに、製品梱包ラインにおいて連続的に巻き戻される製品包装紙フィルム６上で真空ベルトで維持される。傾斜したバンド５が作られるスプール３１は、開封テープ１の２つの枝部３、４間の望ましい角度に対応して包装紙フィルム６の巻き戻し方向に対してある角度で方向付けられている。フィルム６及びラベル１０へ取り付けられると、バンド５を形成する切断ストリップは、巻き戻しプロセス中にボビン３４から分注された開封テープ１の主水平接着バンド２に接合する。それにより、ラベル１０の上に載っている単一の開封テープ１を形成する傾斜した水平接着バンド２、５を備えた製品包装紙フィルム６が作られるとともに、包装されることになる容器１１の周りに揃って包装され得る。
【００５１】
図６Ａ〜６Ｃは、本発明により、概して図１及び図４Ａに関して説明された容器を作るための代替的製造プロセスを示す。
【００５２】
ここで、図６Ａに示された第１ステップにおいて、包装紙６には傾斜したバンド５が付けられ、糊の点１３がバンド５に付けられる。バンド２は次いで、図６Ｂに示されるとおり開封テープ１を形成するために、第２ステップにおいて包装紙６に接着される。図６Ｃに示された第３ステップにおいて、ラベル１０は糊の点１４を介して容器１１に接着される。包装紙６は次いで、ラベル１０にわたって整列した傾斜したバンド５と共に容器１１の周りに巻き付けられる。包装プロセスの一部として、包装紙６は容器１１を中心として熱収縮し、バンド５をラベル１０に接着させるよう糊の点１３を作動させる。
【００５３】
包装紙が容器１１の周りに巻き付けられると、傾斜したバンド５はラベル１０に、ミシン目１６の２つの平行な列の間の接触領域１５で接着される。開封テープ１は、したがって、接触領域１５でラベル１０に接続され、これは容器１１には接着されない。結果として、開封テープ１の作動は穿孔ライン１６に沿ってラベル１０を切断するとともに、ラベル１０の、穿孔ライン１６（接触領域１５）間の部分を除去する。好ましくは、ラベル１０の接触領域１５は、接触領域１５の完全な除去を確実にするために、傾斜したバンド５の２つの端の間にある。
【００５４】
上述の例において、開封テープ１とラベル１０との間の接続は、傾斜したバンド５への糊点１３の塗布により達成される。他の例において、開封テープ１は、開封テープ１及びラベル１０の一方又は両方への任意の好適な接着剤、好ましくは熱活性化性接着剤の塗布により、接触領域１５でラベル１０に接続される。代替的に、開封テープ１は接触領域１５でラベル１０に溶融され得る。
【００５５】
単一の開封テープで本発明の製品包装紙を作るための代替的装置配置構成は、当業者により理解されるだろう。
【００５６】
使用の際、製品包装紙６は、図１及び２に示されるシガレットパックなど容器１１の上のオーバーラップとして提供される。タブ９は、バンド２の端部がタブ９内にあり、それにより開封テープ１の開始又は把持端を形成するように製品包装紙６に提供される。使用の際、ユーザは、開封テープ１を包装紙６から取り外すためにタブ９を把持することができ、それにより開封テープ１の長さに沿った任意の場所に配置されたラベル１０を切断し得る。タブ９の引き寄せが包装紙６の開封の第１ステージを開始し、バンド２が、枝部３、４の交差部８に到達するまで容器１１に対して第１角度でのきれいな線形切断で、第１線形方向に沿って包装紙６を破壊し、交差部８は容器１１の主面の上に位置する。このポイントで、開封の第２ステージが関与し、それにより、開封テープ１のさらなる引き寄せがバンド２、５に沿って２つの方向において包装紙６を破壊し、図２に示されるとおりそれにより包装紙６の一部を除去し、本例におけるバンド５の端に位置するラベル１０を切断する。これは、ユーザが単一の行動で包装紙６を除去するとともにラベル１０を切断することを可能にする。これはまた、ユーザが単一の行動、２ステージの開封行動でより容易に内部容器１１へのアクセスを得ることを可能にする。これはまた、ラベル１０が製品包装紙６及び／又は容器１１の任意の場所に配置されることを可能にし、ラベル１０が開封テープ１の一部の上又は下にあることを提供し、それにより、当該技術分野における容器よりもはるかに大きい設計上の自由を可能にする。
【００５７】
本例における開封テープ１の主バンド２の末端間での交差部８の位置は好ましくは主バンド２の末端から離間して位置することが理解されるべきである。例えば、交差部８は、容器１１の主面にわたって延在する主バンド２のコンポーネントに沿って中ほどに位置し得る。この配置構成の特定の利点は、包装紙６が容器１１の上に置かれると、開封テープ１の第１枝部３を形成するバンド２の下端が、容器１１の第１面、好ましくは図示のとおりシガレット容器１１の側部に隣接して位置することが確実になることである。一方、交差部８は第１面に隣接する前記容器１１の主面７の上に載る。この構成は、第１ステージ中の包装紙開封プロセスの適切な開始及び開封の第２ステージ中の交差部８から始まる前記包装紙６の完全な除去を確実にする。
【００５８】
加えて、包装紙６が通常の方法で熱収縮したときに角又は折り畳まれた縁で包装紙６に皺が寄るのを回避するために、開封テープ１のうちの１つのみのバンド２が容器１１の角又は折り畳まれた縁にわたって延在することが重要である。
【００５９】
図７Ａ及び７Ｂは、例示的包装紙６がオーバーラップとして提供された例示的容器１１の前方及び後方図を説明する。
【００６０】
本例において、容器１１は、器１１の後壁の上部分に蝶番で連結可能に接続された蓋部分を含む蝶番式蓋パックである。蓋部品は、容器が閉じられ容器の中身が覆われている第１位置と、ユーザが容器の中身にアクセスし得るように蓋部品が揺動して開き容器の頂部で開口を暴露する第２位置との間で、蝶番で連結可能な接続部で蝶番機構を中心として回転することにより、箱に対して移動し得る。閉位置において、容器１１の前壁の上部縁及び蓋部品の前壁の下部縁は閉鎖ラインで接触する。
【００６１】
タブ９が製品包装紙６に、第１バンド２の第１端部がタブ９内にあるように提供され、それにより開封テープ１の始動又は把持端を形成する。タブ９は、閉鎖ラインの近く及び容器１１の前壁の第１側縁の近くに位置付けられる。本例において、タブ９の一部は、タブ９の一部が容器１１及び包装紙６から突出するように、前壁の第１側縁を越えて延在する。これはタブ９の把持を容易にする。
【００６２】
図１及び２の例と対照的に、本例における包装紙６は、交差部８及びラベル１０が、プルタブ９が位置する壁とは異なる容器１１の壁に位置付けられるように、容器１１の周りに配置される。すなわち、プルタブ９が容器１１の側壁に位置付けられる一方で、交差部８及びラベル１０は容器１１の後壁に位置付けられる。
【００６３】
第１バンド２は、容器１１の箱の前壁の上部前縁（すなわち、容器１１の前壁に沿った閉鎖ライン）に近接して位置付けられるとともに、容器１１の長手方向軸に実質的に垂直である。図７Ａ及び７Ｂに示されるとおり、第１バンド２は、閉鎖ラインで又は閉鎖ラインより下で容器１１を囲む。
【００６４】
本例において、ラベル１０は長方形であるとともに、その最も短い側が容器１１の長手方向軸に平行となるように、容器１１の底部近くに位置付けられる。ラベル１０は容器１１の閉鎖ラインより下にあるため、開封後に除去されないラベル１０の残りの材料はいずれも蓋の動きを妨げない。
【００６５】
ラベル１０は容器１１の底部の近くに位置するため、ラベル１０での知覚できない改ざんはなおより困難である。この困難さは、ラベル１０が、容器１１の底縁から計測された、容器１１の全高の５０％未満高さに位置付けられたときに、さらに強化される。この特定の例において、ラベル１０は容器１１の全高の２５％未満の高さに位置付けられる。
【００６６】
ラベル１０が開封テープ１の作動時に切断されるようになることを確実にするために、ラベル１０は第２バンド５の２つの末端の間に位置付けられる。
【００６７】
使用の際、ユーザは、開封テープ１を包装紙６から取り外すためにタブ９を把持し得る。包装紙６の開封の第１ステージにおいて、バンド２は第１線形方向に沿って、容器１１の長手方向軸に実質的に垂直なきれいな線形切断で、包装紙６を破り、包装紙６の、容器１１の側壁の部分が破れる。ユーザがタブ９を引き寄せ続けると、バンド２は、枝部３、４の交差部８に到達するまで、容器１１の後壁まで破壊行動を案内する。このポイントで、開封の第２ステージが関与し、それにより、開封テープ１のさらなる引き寄せが包装紙６を、それぞれバンド２、５の枝部３、４に沿って２つの方向に破壊し、したがって開封テープ１で包装紙６の一部を除去し、バンド５の端に位置するラベル１０を切断する。
【００６８】
これは、ユーザが、蓋部品の閉鎖ラインに近接して、容器１１の前壁に位置するタブ９を引き寄せることを可能にし、蓋部品の蝶番で連結可能な接続部より下で容器１１の後壁に位置するラベル１０を切断する。これはまた、ラベル１０が、プルタブ９が位置する壁とは異なる容器の壁に位置付けられることを可能にする。特に、包装紙６は、ラベル１０が、人間工学的なプルタブ９を維持しつつ、蓋部品が開く容器１１の前面から離れて、容器１１の後壁に配置されることを可能にする。
【００６９】
上記から理解されるとおり、本発明は、製造が単純で費用効率的であるにもかかわらず最終消費者にとって、包装紙の改良された除去及び内部容器の中身へのアクセスという点で有益でもある製品のための包装紙を提供する。本発明はまた、製造業者にとっても有益であり、包装が最終利用者により開封されると切断されるラベル（例えば関税印）を含むという要件と同時に容器でのグラフィックスの表示において設計上の自由を増すことを可能にする。
【図１】
2020524118.tif 000003
【図２】
2020524118.tif 000004
【図３Ａ】
2020524118.tif 000005
【図３Ｂ】
2020524118.tif 000006
【図４Ａ】
2020524118.tif 000007
【図４Ｂ】
2020524118.tif 000008
【図５】
2020524118.tif 000009
【図６Ａ】
2020524118.tif 000010
【図６Ｂ】
2020524118.tif 000011
【図６Ｃ】
2020524118.tif 000012
【図７Ａ】
2020524118.tif 000013
【図７Ｂ】
2020524118.tif 000014
【国際調査報告】
2020524118.tif 000015
2020524118.tif 000016
2020524118.tif 000017